(57)【要約】      （修正有）【課題】狭小な装着スペースしかない携帯電話機などの精密電子機器の内部にも装着可能で、温度を検知する部分と湿度を検知する部分とが相互に干渉せず、安定した検知能力を有し、しかも安価に提供出来る実用的な冠水／異常高温検知センサーを提供する。【解決手段】シール状をなした基板１の表面に、任意の色彩が施された色彩面３を形成し、その上に、予め設定された温度で溶解する粉末状のワックスと粘ちょう剤とを練り合せた常温においては不透明な感温物質を塗布して感温部４を形成すると共に、同じく基板の表面に、前記感温部とは異なる任意の色彩の水溶性塗料によって任意の図形を描いて冠水検知部５を形成して冠水／異常高温検知センサーを構成した。【選択図】図１
0003146617.tif 000002
【実用新案登録請求の範囲】
【請求項１】
シール状をなした基板の表面に、任意の色彩が施された色彩面を形成し、その上に予め設定された温度で溶解する粉末状のワックスと粘ちょう剤とを練り合せた常温においては不透明な感温物質を塗布して感温部を形成すると共に、同じく基板の表面に任意の色彩の水溶性塗料によって任意の図形を描いて冠水検知部を形成したことを特徴とする冠水／異常高温検知センサー。
【考案の詳細な説明】
【技術分野】
【０００１】
この考案は、冠水／異常高温検知センサー、詳しくは、対象物が水を被った事実及び異常高温下に晒された事実を共に不可逆的に表示することが出来るシール状の検知具に関するものである。
【背景技術】
【０００２】
シール状をなした不可逆的な温度センサーは、各種機器類の所望部位に簡単に貼付出来、狭小なスペースにも適用可能で、電源等を必要としないので、各種機器の温度管理の為、あらゆる産業分野において広く使用されている。
【０００３】
又、予め設定された相対湿度超過の事実を不可逆的に表示するシール状をなした不可逆的な感湿センサーも、船舶による輸送時の湿度管理など、各種機器の湿度管理の為、あらゆる産業分野において広く使用されている。
【０００４】
一方、携帯電話機などの精密電子機器においては、限界を超えた高温下に晒されたり、水を被ると、その機能に重大な障害が発生することは避けられず、炎天下の自動車のダッシュボードに置くことや水没行為が厳禁されていることは、周知の通りである。
【０００５】
そして、これら機器類の場合、故障が生じた際に、クレームの対象としてメーカー側が修理の責任を負わねばならない場合と、誤った使用によるものとして、メーカー側が免責される場合とがあり、その認定を巡ってメーカー側とユーザー側とで争いとなる場合もあった。
【０００６】
落下の際の衝撃による故障の場合には、これら機器の外部にその痕跡が残ることが多く、責任の所在を特定し易いが、異常高温下に晒された場合の故障や、水を被った場合の故障は、外観上の変化がほとんど認められぬ為、原因探求が困難となり、故障についての責任の所在が明らかにならず、修理負担を巡り、トラブルとなり易かった。
【特許文献１】特開２００２−１１１８３３
【特許文献２】特開２００６−２９９４５
【非特許文献１】なし
【考案の開示】
【考案が解決しようとする課題】
【０００７】
この為、予め設定された相対湿度超過の事実を不可逆的に表示する感湿センサーや同じく予め設定された温度超過の事実を不可逆的に表示する感温センサーを、これら機器の内部の目立たぬ部位に予め取り付けておき、修理依頼時に、これらをチェックする様にすれば、故障原因を明確に特定出来、責任の所在も明らかになるので、一部ではこれらセンサーを取り付ける試みもなされている。
【０００８】
しかしながら、これらセンサーはいずれも高価である上、感湿センサーは設置対象物の雰囲気湿度を感知するものであるので、当然に吸湿性を有しているのに対し、感温センサーは湿気に弱いものが多く、両者を組み合わせて、小型の同一基板上で同時並行的に機能させることは実際上かなりむずかしかった。
【０００９】
つまり、従来のシール状の感温センサーの多くは、ワックスや化学物質の熱溶解作用を利用し、これらが熱溶解して和紙などのマスキング材に浸み込むことにより、マスキング材を透明化させ、その下に位置している彩色面が透けて見える様にすることにより、設定温度超過の事実を視覚的に表示しており、マスキング材は湿気に弱く、高湿度中に晒されると、マスキング材が水分を吸って透けてしまい、誤発色してしまう場合があった。
【００１０】
一方、シール状の感湿センサーの多くは、吸湿性のあるシール状基材上に着色された潮解性の物質を固定しておき、この物質が設定温度超過によって液状化して周囲に滲み出す現象によって、設定湿度超過の事実を視覚的かつ不可逆的に表示するものであり、基材が吸湿性を有することは機能性不可欠である。従って、この吸湿性が不可欠である感湿センサーの基材上に隣接させて、上記ワックスや化学物質の熱融解現象が利用した感温センサーを固定したのでは、湿度によってこの感温センサーが誤作動を起こすおそれが極めて高く、従来のものにおいては、両者を同一基板上に設置することは困難であった。
【００１１】
本考案者は、温度及び湿度検知に関する上記問題点に鑑み、研究を行った結果、狭小な装着スペースしかない携帯電話機などの精密電子機器の内部にも装着可能で、温度を検知する部分と湿度を検知する部分とが相互に干渉せず、安定した検知能力を有し、しかも安価に提供出来る実用的な冠水／異常高温検知センサーに開発することに成功し、本発明としてここに提案するものである。
【課題を解決するための手段】
【００１２】
シール状をなした小型の基板の表面に、任意の色彩が施された色彩面を形成し、その上に、予め設定された温度で溶解する粉末状のワックスと粘ちょう剤とを練り合せた常温においては不透明な感温物質を塗布して感温部を形成すると共に、同じく基板の表面に、任意の色彩の水溶性塗料によって任意の図形を描いて冠水検知部を形成して冠水／異常高温検知センサーを構成することにより、上記課題を解決した。
【実施例】
【００１３】
図１はこの考案に係る冠水／異常高温検知センサーの一実施例の拡大斜視図、図２はその拡大断面図であり。
【００１４】
図中１はシール状の基板であり、紙などの素材からなり、裏面側には粘着剤層２が形成され、対象物に貼着出来る様になっている。そして、表面には二つの部分に区画されており、一方の区画８には、任意の色彩が施された彩色面３上に予め設定された温度で溶解する粉末状ワックスと粘ちょう剤とを練り合わせた常温において白濁した感温インクが塗布された感温部４が形成されている。なお、上記感温インクは、本件出願人が特許２００４−２０８３１１において提案したものと基本的に同じものである。又、もう一方の区画９には、任意の色彩の水溶性塗料により任意の図形が描かれてなる冠水検知部５が形成されている。なお、この冠水／異常高温検知センサーは図８に示す様に、携帯電話機７などの小型電子機器の内部に貼り付けておくことを前提とするものなので、非常に小型であり、基板１の各区画８，９は一辺がそれぞれ数ミリメートル程度となっている。
【００１５】
この実施例は、上記の通りの構成を有するものであり、基材１の裏面の粘着剤層２によって、図８に示す様に、携帯電話機７などの各種小型電子機器類の内部の目立たぬ部位に予め固定しておくものであり、基材１上に形成されている感温部４は、予め設定された限界温度を超過し、異常高温となったときは、粉末状のワックスが融解して透明化し、それまでその下に隠れ、見えなかった彩色面３が図３に示す様に、上方から透けて見える様になり、恰もその部分が発色したかの如き状態を呈し、それによって異常高温の事実を表示することになる。その後、温度が低下したとしても、一旦透明化したワックスは不透明には戻らないので、異常高温下に置かれた事実は不可逆的に表示され続ける。
【００１６】
一方、冠水や水没などによって水を被ったときは、基材１上に形成されている冠水検知部５を構成している水溶性塗料は溶け出し、図４に示す様に、区画９上に滲み１０を形成し、それによって視覚的に水を被った事実を表示することになる。この滲み１０は、その後水分が蒸発しても消えることはないので、この水を被った事実も不可逆的に表示され続ける。
【００１７】
なお、この考案において、温度感知は常温では不透明である粉末状ワックスの溶解作用を利用しており、従来のワックス利用感温体の様に、和紙などのマスキング材へのワックス浸み込み現象を利用したものではないので、水に強く、高湿度中に晒されたり、冠水したとしてもこの感温部４が誤作動誤発色することは全くなく、正常に作動し続けることが出来る。
【００１８】
次に、図5乃至図７は、この考案に係る冠水／異常高温検知センサーの他の実施例を示すものであり、この実施例においては、白抜き状態のインク非塗布部分１２を除いて、基板１の表面には一面に亘り、任意の色彩の水溶性インクが塗布され、水溶性彩色面１１が形成されており、この水溶性彩色面１１の一部に、前述の実施例のものと同じ白濁した感温インクが塗布され、感温部４が形成されている。そして、前記白抜き状態のインク非塗布部分１２は、冠水検知部５となっている。
【００１９】
この実施例も、前述の実施例と同様、基材１の裏面の粘着剤層２によって、図８に示す様に、携帯電話機７などの各種小型電子機器類の内部の目立たぬ部位に予め固定しておくものであり、基材１上に形成されている感温部４は、予め設定された限界温度を超過し、異常高温となったときは、粉末状のワックスが融解して透明化し、それまで白く現われていた感温部４は視覚上は消滅し、その下に隠れて、それまで見えなかった水溶性彩色面１１が、図６に示す様に上方から透けて見える様になり、恰もその部分が発色したかの如き状態を呈し、それによって異常高温の事実を表示することになる。その後、温度が低下したとしても、一旦透明化したワックスは不透明には戻らないので、異常高温下に置かれた事実は不可逆的に表示され続ける。
【００２０】
一方、冠水や水没などによって水を被ったときは、基材１上に形成されている水溶性彩色面１１を構成している水溶性塗料は溶け出し、図７に示す様に、インク非塗布部分１２に滲み込み、この部分を着色して白抜き状態を消滅させ、それによって視覚的に水を被った事実を表示することになる。この状態は、その後水分が蒸発しても変わらないので、この水を被った事実も不可逆的に表示され続ける。
【００２１】
この様に、この考案に係る冠水／異常高温検知センサーは極めて簡単な構造で、動作が確実かつ極小化が容易であるので、狭小な設置スペースしかない携帯電話機などの精密電子機器の内部にも確実に装着出来、炎天下の自動車のダッシュボード上に放置した場合や水没させてしまった場合、あるいはサウナ風呂へ持ち込んでしまった場合など、ユーザーが当然に責任を負わなければならない様な故障原因も明確に特定し、商品管理及びアフターサービスをより有効に実施できる効果を有する。
【図面の簡単な説明】
【００２２】
【図１】この考案に係る冠水／異常高温検知センサーの一実施例の拡大斜視図。
【図２】同じく、その拡大断面図。
【図３】同じく、感温体が異常高温を検知した際の拡大斜視図。
【図４】同じく、冠水検知部が水を被った際の拡大斜視図。
【図５】この考案に係る冠水／異常高温検知センサーの他の実施例の拡大斜視図。
【図６】同じく、感温体が異常高温を検知した際の拡大斜視図。
【図７】同じく、冠水検知部は水を被った際の拡大斜視図。
【図８】この考案に係る冠水／異常高温検知センサーを携帯電話機に装着した状況の正面図。
【符号の説明】
【００２３】
１    基材
２    粘着剤層
３    彩色面
４    感温部
５    冠水検知部
７    携帯電話機
８    区画
９    区画
１０    滲み
１１    水溶性彩色面
１２    インク非塗布部分
【図１】
0003146617.tif 000003
【図２】
0003146617.tif 000004
【図３】
0003146617.tif 000005
【図４】
0003146617.tif 000006
【図５】
0003146617.tif 000007
【図６】
0003146617.tif 000008
【図７】
0003146617.tif 000009
【図８】
0003146617.tif 000010